(57)【要約】      （修正有）【課題】歯槽骨が破壊されるリスクを軽減する、キャリアに固定されるように構成される人工義歯を提供する。【解決手段】人工義歯１０ａは、第１の内部コンポーネント１００ａ、第２の内部コンポーネント２００ａ、およびクラウン３００ａを有する。第１の内部コンポーネント１００ａは、キャリア１１ａに固定されるように構成される。第１の内部コンポーネント１００ａは、互いに接続される第１のカバー１１０ａと第１のポスト１２０ａを含む。第１のポスト１２０ａは開孔を有する。第２の内部コンポーネント２００ａは、互いに接続される第２のカバー２１０ａと第２のポスト２２０ａを含む。第２のカバー２１０ａは、取り外しできるように第１のカバー１１０ａ上にはめ込まれ、第２のポスト２２０ａは、第１の内部コンポーネント１００ａに固定されるよう、第１のポスト１２０ａの開孔に挿入される。クラウン３００ａは第２の内部コンポーネント２００ａの第２のカバー２１０ａを覆う。【選択図】図１
0003219784.tif 000002
【実用新案登録請求の範囲】
【請求項１】
キャリアに固定されるように構成される人工義歯であり、
前記キャリアに固定されるように構成され、互いに接続される第１のカバーと第１のポストを備える第１の内部コンポーネント、
互いに接続される第２のカバーと第２のポストを有する第２の内部コンポーネント、および
前記第２の内部コンポーネントの前記第２のカバーを覆うクラウンを備え、
前記第１のポストは開孔を有し、
前記第２のカバーは取り外し可能なように前記第１のカバー上にはめ込まれ、
前記第２のポストは、前記第１の内部コンポーネントに固定されるよう、前記第１のポストの前記開孔に挿入される人工義歯。
【請求項２】
前記第１の内部コンポーネントの前記第１のポストと前記第１のカバーは一体となって構成され、前記第２の内部コンポーネントの前記第２のポストと前記第２のカバーは一体となって構成される、請求項１に記載の人工義歯。
【請求項３】
前記第１の内部コンポーネントの前記第１のポストは前記第１のカバーに取り付けられ、前記第２の内部コンポーネントの前記第２のポストは前記第２のカバーに取り付けられる、請求項１に記載の人工義歯。
【請求項４】
前記第１のカバーは、互いに接続される第１のトッププレートと第１の側壁を有し、
前記第１のトッププレートは第１の貫通孔を有し、
前記第１のポストは前記第１のトッププレート上に装着され、
前記開孔は前記第１の貫通孔から露出され、
前記第２のカバーは、互いに接続される第２のトッププレートと第２の側壁を有し、
前記第２のトッププレートと前記第２の側壁は、前記第２のトッププレートと前記第２の側壁の間に収容スペースを形成し、
前記第２のポストは前記第２のトッププレート上に取り付けられ、
前記第２のポストの一部は前記収容スペース内に位置し、
前記第１のカバーは前記収容スペース内に収容され、
前記第２の側壁は、取り外し可能なように前記第１の側壁と接し、
前記第２のポストの一部は前記開孔に挿入される、請求項３に記載の人工義歯。
【請求項５】
前記第１のポストは環状のフランジを有し、
前記環状のフランジは、前記第１のポストから前記第１のポストの径方向に突き出ており、
前記環状のフランジは、前記第１のポストの前記第１のカバーに近い側に位置し、
前記環状のフランジは前記第１のトッププレート上に取り付けられる、請求項４に記載の人工義歯。
【請求項６】
前記第２のポストは環状のフランジを有し、
前記環状のフランジは、前記第２のポストから前記第２のポストの径方向に突き出ており、
前記環状のフランジは、前記第２のポストの前記第２のカバーに近い側に位置し、
前記環状のフランジは前記第２のトッププレート上に取り付けられる、請求項４に記載の人工義歯。
【請求項７】
前記第１のトッププレートは、前記第１の貫通孔に接続される複数の切り欠きを有し、
前記第１のポストは、前記第１のポストから前記第１のポストの径方向に突き出る複数の突起を有し、
前記第１のポストは前記第１の貫通孔内に位置し、
前記第１のポストは、取り外しできる状態と噛み合わされた状態の間で回転することができ、
前記第１のポストが前記取り外しできる状態にあるとき、前記複数の突起はそれぞれ前記複数の切り欠きと揃い、前記第１のポストは前記第１のカバーから取り外すことができ、
前記第１のポストが前記噛み合わされた状態にあるとき、前記複数の突起はそれぞれ前記複数の切り欠きと揃わない、請求項４に記載の人工義歯。
【請求項８】
前記第２のトッププレートは、第２の貫通孔と複数の切り欠きを有し、
前記第２のポストは複数の突起を有し、
前記複数の突起は、前記第２のポストから前記第２のポストの径方向に突き出ており、
前記第２のポストは前記第２の貫通孔内に位置し、
前記第２のポストは、取り外しできる状態と噛み合わされた状態の間で回転することができ、
前記第２のポストが前記取り外しできる状態にあるとき、前記複数の突起はそれぞれ前記複数の切り欠きと揃い、前記第２のポストは前記第２のカバーから取り外すことができ、
前記第２のポストが前記噛み合わされた状態にあるとき、前記複数の突起はそれぞれ前記複数の切り欠きと揃わない、請求項４に記載の人工義歯。
【請求項９】
前記第１のトッププレートは複数の突起を有し、
前記複数の突起は前記第１の貫通孔内に位置し、
前記第１のポストは複数の切り欠きと環状の溝を有し、
前記複数の切り欠きは前記環状の溝に接続され、
前記複数の突起は前記環状の溝内に位置し、
前記第１のポストは、取り外しできる状態と噛み合わされた状態の間で回転することができ、
前記第１のポストが前記取り外しできる状態にあるとき、前記複数の突起はそれぞれ前記複数の切り欠きと揃い、前記第１のポストは前記第１のカバーから取り外すことができ、
前記第１のポストが前記噛み合わされた状態にあるとき、前記複数の突起はそれぞれ前記複数の切り欠きと揃わない、請求項４に記載の人工義歯。
【請求項１０】
前記第２のトッププレートは、複数の突起と第２の貫通孔を有し、
前記複数の突起は前記第２の貫通孔内に位置し、
前記第２のポストは、複数の切り欠き、および前記複数の切り欠きに接続される環状の溝を有し、
前記複数の突起は前記環状の溝内に位置し、
前記第２のポストは、取り外しできる状態と噛み合わされた状態の間で回転することができ、
前記第２のポストが前記取り外しできる状態にあるとき、前記複数の突起はそれぞれ前記複数の切り欠きと揃い、前記第２のポストは前記第２のカバーから取り外すことができ、
前記第２のポストが前記噛み合わされた状態にあるとき、前記複数の突起はそれぞれ前記複数の切り欠きと揃わない、請求項４に記載の人工義歯。
【請求項１１】
前記第２のポストは外表面、および前記外表面上に形成される複数の緩衝孔を有し、前記複数の緩衝孔は前記第２のポストを複数の緩衝部に分割する、請求項１に記載の人工義歯。
【請求項１２】
前記開孔内に位置する緩衝コンポーネントをさらに有し、前記第２のポストは前記緩衝コンポーネントと接する、請求項１に記載の人工義歯。
【請求項１３】
前記第１のポストは、環状の内表面、および少なくとも一つの第１の位置合わせ部を有し、
前記環状の内表面は前記開孔を形成し、
前記少なくとも一つの第１の位置合わせ部は前記環状の内表面上に位置し、
前記第２の内部コンポーネントの前記第２のポストは、外表面、および前記外表面上に位置する少なくとも一つの第２の位置合わせ部を有し、
前記の第１の位置合わせ部と前記の第２の位置合わせ部は、前記第２の内部コンポーネントの位置が前記第１の内部コンポーネントに対して定められるよう、互いに噛み合わされる、請求項１に記載の人工義歯。
【請求項１４】
前記第２の位置合わせ部は、前記第２のポストから前記第２のポストの径方向に突き出る環状のリムであり、前記第１の位置合わせ部は、前記環状の内表面上に位置する環状の溝である、請求項１３に記載の人工義歯。
【請求項１５】
前記第２の位置合わせ部は、取り外し可能なように前記第２のポストにはめ込まれ、前記第２のポストから突き出るリングであり、前記第１の位置合わせ部は、前記環状の内表面上に位置する環状の溝である、請求項１３に記載の人工義歯。
【考案の詳細な説明】
【技術分野】
【０００１】
本開示は人工義歯に関連し、より具体的には、第１の内部コンポーネントと第２の内部コンポーネントを有する人工義歯に関連する。
【背景技術】
【０００２】
歯科用ブリッジは、文字通り、歯が一つ、あるいは複数抜けることによって生成する隙間をブリッジする。ブリッジは、隙間の両側の歯に置かれる二つ以上のクラウンから作製される。これらの二つ以上の支えとなる歯は支持歯と呼ばれ、義歯がその間に置かれる。しかしながら、歯科用ブリッジをするためには、ブリッジを支えるために患者は自らの健康な歯を加工する必要があり、ブリッジの両端にクラウンをはめ込むため、支持歯を削らなければならない。歯を加工すると、加工前と比較して歯が脆弱となり、歯へのダメージや腐敗（歯の消失）のリスクが増大する。
【０００３】
したがって、歯科用インプラントが抜けた歯の替わりとなっており、これは通常、歯槽骨に埋め込まれたキャリア内に配置される。しかしながら、咀嚼や噛むなどの行為によって生まれる力がキャリアを介して歯槽骨にかかり、これにより歯槽骨が容易に破壊される。
【考案の概要】
【考案が解決しようとする課題】
【０００４】
本開示は、歯槽骨が破壊されるリスクを軽減することが可能な人工義歯を提供する。
【０００５】
本開示の実施形態の一つは、キャリアに固定されるように構成される人工義歯を提供する。この人工義歯は、第１の内部コンポーネント、第２の内部コンポーネント、およびクラウンを含む。第１の内部コンポーネントは、キャリアに固定されるように構成される。第１の内部コンポーネントは、互いに接続される第１のカバーと第１のポストを含む。第１のポストは開孔を有する。第２の内部コンポーネントは、互いに接続される第２のカバーと第２のポストを含む。第２のカバーは、取り外し可能なように第１のカバー上にはめ込まれ、第２のポストは、第１の内部コンポーネントに固定されるよう、第１のポストの開孔に挿入される。クラウンは第２の内部コンポーネントの第２のカバーを覆う。
【０００６】
上述した人工義歯によると、この人工義歯は、キャリア内に埋め込まれた第１の内部コンポーネント内に可動的に挿入された第２の内部コンポーネントを有する。このため、クラウンにかかる外力は、クラウンよりも歯槽骨に近い第１と第２の内部コンポーネントの接触点に対して同等ににかかる。そのため、歯槽骨にかかるトルクが低減し、これにより、歯槽骨が破壊されるリスクを軽減することができる。
【図面の簡単な説明】
【０００７】
本開示は、以下に示される詳細な説明と図面によってより良く理解されるであろう。図面は例示のために与えられるだけであり、したがって、本開示を限定する意図はない。
【図１】本開示の第１の実施形態に係る人工義歯の斜視図。
【図２】図１の人工義歯の部分拡大図。
【図３】図１の人工義歯の詳細拡大図。
【図４】図１の人工義歯の部分断面図。
【図５】第１のポストが取り外しできる状態にあるときの、図２の第１の内部コンポーネントの斜視図。
【図６】第１のポストが噛み合わされた状態にあるときの、図２の第１の内部コンポーネントの斜視図。
【図７】本開示の第２の実施形態に係る人工義歯の第１の内部コンポーネントと第２の内部コンポーネントの拡大図。
【図８】本開示の第３の実施形態に係る人工義歯の第１の内部コンポーネントと第２の内部コンポーネントの拡大図。
【図９】本開示の第４の実施形態に係る人工義歯の第１の内部コンポーネントと第２の内部コンポーネントの拡大図。
【図１０】本開示の第５の実施形態に係る人工義歯の第１の内部コンポーネントと第２の内部コンポーネントの拡大図。
【図１１】本開示の第６の実施形態に係る人工義歯の第１の内部コンポーネントと第２の内部コンポーネントの拡大図。
【図１２】図１１の第１の内部コンポーネントと第２の内部コンポーネントの断面図。
【考案を実施するための形態】
【０００８】
以下の詳細な記述において、説明目的のため、多くの特定の項目は、開示される実施形態の十分な理解のために記載される。しかしながら、１つ以上の実施形態は、これらの特定の項目なしに実施することができることは明らかである。その他の例では、良く知られた構造や装置は、図面を簡潔にするため、模式的に示される。
【０００９】
図１から図４を参照する。図１は、本開示の第１の実施形態に係る人工義歯の斜視図である。図２は、図１の人工義歯の部分拡大図である。図３は、図１の人工義歯の詳細な拡大図である。図４は、図１の人工義歯の部分断面図である。
【００１０】
本実施形態は、歯槽骨１２ａ上に埋め込まれたキャリア１１ａに固定されるように適合された人工義歯１０ａ（義歯としても知られている）を提供する。キャリア１１ａは、例えば歯科用インプラントのための取り外し可能なインプラント、あるいは歯根管処置によって作製された歯である。本実施形態では、人工義歯１０ａは、第１の内部コンポーネント１００ａ、第２の内部コンポーネント２００ａ、およびクラウン３００ａを含む。第１の内部コンポーネント１００ａは、キャリア１１ａにネジ様式で固定することができる。
【００１１】
第１の内部コンポーネント１００ａは、互いに接続される第１のカバー１１０ａと第１のポスト１２０ａを含む。第１のカバー１１０ａは、第１のトッププレート１１１ａと第１の側壁１１２ａを含む。第１のトッププレート１１１ａは、第１の貫通孔１１１２ａ、および第１の貫通孔１１１２ａに接続される二つの切り欠き１１１１ａを備える。具体的には、切り欠き１１１１ａは、第１の貫通孔１１１２ａの対向する二つのサイドにそれぞれ接続される。
【００１２】
第１のポスト１２０ａは、二つの突起１２１ａ、開孔１２２ａ、環状の内表面１２２１ａ、および第１の位置合わせ部１２２２ａを有する。二つの突起１２１ａは、それぞれ第１のポスト１２０ａの対向する二つのサイドから第１のポスト１２０ａの径方向に突き出す。より詳細には、各突起１２１ａは、第１のトッププレート１１１ａの一部を受け入れるスロット（番号は付されていない）を有する。開孔１２２ａは、環状の内表面１２２１ａによって形成され、円錐型の開孔である。第１の位置合わせ部１２２２ａは、環状の内表面１２２１ａ上に形成され、例えば環状の溝である。
【００１３】
次に、図３、５、６を参照する。図５は、第１のポストが取り外し可能な状態における図２の第１の内部コンポーネントの斜視図である。図６は、第１のポストが噛み合わされた状態における図２の第１の内部コンポーネントの斜視図である。
【００１４】
図５に示すように、突起１２１ａは、切り欠き１１１１ａを通過できるよう、それぞれ切り欠き１１１１ａに揃うように配置される。この時、第１のポスト１２０ａは取り外し可能な状態であり、第１の貫通孔１１１２ａをどちらの方向にも通過することができる。
【００１５】
図６に示すように、突起１２１ａと切り欠き１１１１ａが揃わなくなるように第１のポスト１２０ａ、あるいは第１のカバー１１０ａが回転され、第１のトッププレート１１１ａの第１の貫通孔１１１２ａを形成する端部の一部が突起１２１ａのスロット内に噛み合わされ、これにより、第１のポスト１２０ａが第１のカバー１１０ａに噛み合わされる。この時、第１のポスト１２０ａは噛み合わされた状態である。さらに、第１のポスト１２０ａが第１のトッププレート１１１ａの第１の貫通孔１１１２ａに設けられる時、第１のポスト１２０ａの開孔１２２ａは第１のトッププレート１１１ａに覆われない。
【００１６】
このように、突起１２１ａと切り欠き１１１１ａが協同することにより、第１のポスト１２０ａと第１のカバー１１０ａを噛み合わせ、取り外すことができる。
【００１７】
図３と図４に示すように、第２の内部コンポーネント２００ａは、第２のカバー２１０ａと第２のポスト２２０ａを含む。第２のカバー２１０ａは、互いに接続される第２のトッププレート２１１ａと第２の側壁２１２ａを備える。第２のトッププレート２１１ａと第２の側壁２１２ａは、これらの間に収容スペース２１３ａを形成する。収容スペース２１３ａは、第１のカバー１１０ａを収容するように構成される。第２のトッププレート２１１ａは、第２の貫通孔２１１２ａ、および第２の貫通孔２１１２ａに接続される二つの切り欠き２１１１ａを備える。具体的には、切り欠き２１１１ａは、第２の貫通孔２１１２ａの対向する二つのサイドにそれぞれ接続される。
【００１８】
第２のポスト２２０ａは、外表面２２２ａ、二つの突起２２１ａ、および三つの緩衝孔２２３ａを有する。二つの突起２２１ａは、それぞれ外表面２２２ａの対向する二つのサイドから第２のポスト２２０ａの径方向へ突き出す。より詳細には、各突起２２１ａは、第２のトッププレート２１１ａの一部を受け入れるためのスロット（番号は付されていない）を有する。
【００１９】
第２のポスト２２０ａは、可動的に第２の貫通孔２１１２ａ内に位置する。本実施形態では、第２のポスト２２０ａも、第１のポスト１２０ａと第１の内部コンポーネント１００ａと同様に、取り外しできる状態と噛み合わされた状態の間で回転可能である。したがって、第２のポスト２２０ａが取り外しできる状態にあるとき、突起２２１ａはそれぞれ切り欠き２１１１ａと揃い、第２のポスト２２０ａは第２のカバー２１０ａをどちらの方向にも通過することができる。第２のポスト２２０ａが噛み合わされた状態の時、突起２２１ａはそれぞれ切り欠き２１１１ａと揃わず、第２のトッププレート２１１ａの第２の貫通孔２１１２ａを形成する端部の一部は突起２２１ａのスロット内に噛み合わされ、第２のポスト２２０ａは第２のカバー２１０ａと噛み合わされる。このように、突起２２１ａと切り欠き２１１１ａが協同することにより、第２のポスト２２０ａと第２のカバー２１０ａを噛み合わせ、取り外すことができる。
【００２０】
緩衝孔２２３ａは外表面２２２ａ上に形成され、第２のポスト２２０ａを三つの緩衝部２２４ａに分割する。緩衝部２２４ａの各々は、緩衝部２２４ａの一方の側に位置し、第２のカバー２１０ａから離隔する第２の位置合わせ部２２４１ａを有する。各第２の位置合わせ部は、例えばフランジである。緩衝部２２４ａの目的は、後の段落で記述する。
【００２１】
第１の内部コンポーネント１００ａの切り欠き１１１１ａと突起１２１ａの数に制約はない。幾つかの他の実施形態では、切り欠きと突起の数はいずれも２より大きくてもよい。また、切り欠きと突起の位置に制約はなく、幾つかの他の実施形態では、切り欠きは第１の貫通孔の他の側に位置してもよく、突起は第１のポストの他の側に位置してもよい。さらに、第２の内部コンポーネントの切り欠きと突起の数に制約はなく、２より大きくてもよい。幾つかの他の実施形態では、第２の内部コンポーネントの切り欠きは第２の貫通孔の他の側に位置してもよく、突起は第２のポストの他の側に位置してもよい。さらに、緩衝孔２２３ａの数に制約はなく、幾つかの他の実施形態では３よりも少なくても多くてもよい。このような場合、緩衝部の数は適宜変更される。
【００２２】
人工義歯１０ａはさらに緩衝コンポーネント４００ａを含む。緩衝コンポーネント４００ａは、例えばポリテトラフルオロエテン（すなわち、ＰＴＦＥ）により形成されるが、本開示はこれに限定されることは無い。幾つかの他の実施形態では、緩衝コンポーネントはゴムで形成されてもよい。緩衝コンポーネント４００ａは、開孔１２２ａの底に配置される。
【００２３】
第２のカバー２１０ａは、第１のカバー１１０ａ上に積まれ、第１のカバー１１０ａの一部を覆う。すなわち、第１のカバー１１０ａの一部は第２のカバー２１０ａの収容スペース２１３ａ内に収容される。このような場合、第２のカバー２１０ａの第２の側壁２１２ａは、第１のカバー１１０ａの第１の側壁１１２ａと接する。第２のポスト２２０ａの三つの緩衝部２２４ａは、第１のポスト１２０ａの開孔１２２ａに挿入される。緩衝部２２４ａは緩衝コンポーネント４００ａと接し、第２の位置合わせ部２２４１ａは第１の位置合わせ部１２２２ａ内に位置することで第２の内部コンポーネント２００ａは第１の内部コンポーネント１００ａ上に固定される。クラウン３００ａは、第２の内部コンポーネント２００ａの第２のカバー２１０ａを覆い、実際の歯と同様の外観を作り出す。
【００２４】
本実施形態では、第２の内部コンポーネント２００ａが第１の内部コンポーネント１００ａ内に取り付けられ、第２の位置合わせ部２２４１ａが第１の位置合わせ部１２２２ａ内に位置するとき、第１の位置合わせ部１２２２ａには、第２の位置合わせ部２２４１ａに占有されず、かつ、第２の内部コンポーネント２００ａがさらに第１の内部コンポーネント１００ａの方向に動けるようにするための部分が依然として存在する。したがって、第１のポスト１２０ａの軸方向に沿ってクラウン３００ａに力がかかったとき、第２の内部コンポーネント２００ａは短い距離で移動することができ、三つの緩衝部２２４ａが緩衝コンポーネント４００ａに押し当てられ、この力を緩衝コンポーネント４００ａによって吸収することができる。
【００２５】
なお、幾つかの他の実施形態では、第１の位置合わせ部はフランジでもよく、第２の位置合わせ部は環状の溝でもよい。
【００２６】
また、緩衝コンポーネント４００ａは任意である。幾つかの他の実施形態では、緩衝コンポーネントは無くてもよい。この場合、第２のポストは第１のポストの底に直接接する。
【００２７】
緩衝孔２２３ａにより、緩衝部２２４ａは変形することができる。三つの緩衝部２２４ａが移動する際、三つの緩衝部２２４ａは環状の内表面１２２１ａと接し、緩衝孔２２３ａが小さくなるように変形される。このこともまた、人工義歯１０ａに対して第１のポスト１２０ａの径方向にかかる力を吸収することに役立つ。この力が取り除かれた場合には、緩衝コンポーネント４００ａは反発して三つの緩衝部２２４ａを元の位置へ移動する。
【００２８】
このように、人工義歯１０ａは第１のポスト１２０ａの軸方向と径方向にかかる両方の力に対して抵抗することができ、これにより、人工義歯１０ａによって歯槽骨が破壊されることを防ぐことができる。
【００２９】
図４に示すように、第１のポスト１２０ａの開孔１２２ａに挿入された第２のポスト２２０ａ、第１の内部コンポーネント１００ａ、および第２の内部コンポーネント２００ａは、（図１に示すように）クラウン３００ａよりも歯槽骨１２ａに近い接触点Ｐを有する。このため、咀嚼や噛むという行為で発生し、クラウン３００ａにかかる力は、接触点Ｐに対して同等にかかる。したがって、歯槽骨１２ａにかかるトルクが低減し、これにより、歯槽骨が破壊されるリスクを軽減することができる。
【００３０】
本開示では、どのように第１のポスト１２０ａが第１のカバー１１０ａ上に装着されるか、およびどのように第２のポスト２２０ａが第２のカバー２１０ａ上に装着されるかについては制約されない。
【００３１】
以下は、上記実施形態に類似する、人工義歯に係る幾つかの他の実施形態である。このため、以下の段落では相違点のみを説明する。
【００３２】
図７を参照する。図７は、本開示の第２の実施形態に係る人工義歯の第１の内部コンポーネントと第２の内部コンポーネントの拡大図である。
【００３３】
第２の実施形態では、第１のカバー１１０ｂの第１のトッププレート１１１ｂは二つの突起１１１１ｂと第１の貫通孔１１１２ｂを備える。二つの突起１１１１ｂは、第１の貫通孔１１１２ｂの対向する二つのサイド上に位置する。第１のポスト１２０ｂは二つの切り欠き１２１ｂと環状の溝１２２ｂを備える。二つの切り欠き１２１ｂは、環状の溝１２２ｂの対向する二つのサイドに接続される。二つの突起１１１１ｂは環状の溝１２２ｂ内に位置し、第１のポスト１２０ｂは、取り外しできる状態と噛み合わされた状態との間で回転することができる。第１のポスト１２０ｂが取り外しできる状態にあるとき、二つの突起１１１１ｂはそれぞれ二つの切り欠き１２１ｂと揃い、第１のポスト１２０ｂは第１のカバー１１０ｂをどちらの方向にも通過することができる。第１のポスト１２０ｂが噛み合わされた状態のとき、二つの突起１１１１ｂはそれぞれ二つの切り欠き１２１ｂと揃わず、第１のポスト１２０ｂは第１のカバー１１０ｂと噛み合わされる。
【００３４】
さらに、第２のカバー２１０ｂの第２のトッププレート２１１ｂは二つの突起２１１１ｂと第２の貫通孔２１１２ｂを備える。二つの突起２１１１ｂは、第２の貫通孔２１１２ｂの対向する二つのサイド上に位置する。第２のポスト２２０ｂは、二つの切り欠き２２１ｂと環状の溝２２２ｂを有する。二つの切り欠き２２１ｂは、環状の溝２２２ｂの対向する二つのサイドに接続される。二つの突起２１１１ｂは環状の溝２２２ｂ内に位置し、第２のポスト２２０ｂは、取り外しできる状態と噛み合わされた状態との間で回転可能である。第２のポスト２２０ｂの取り外しできる状態と噛み合わされた状態は、第１のポスト１２０ｂの取り外しできる状態と噛み合わされた状態と類似する。すなわち、第２のポスト２２０ｂが取り外しできる状態にあるとき、二つの突起２１１１ｂはそれぞれ二つの切り欠き２２１ｂと揃い、第２のポスト２２０ｂは第２のカバー２１０ｂをどちらの方向にも通過することができる。第２のポスト２２０ｂが噛み合わされた状態にあるとき、二つの突起２１１１ｂはそれぞれ二つの切り欠き２２１ｂと揃わず、第２のポスト２２０ｂは第２のカバー２１０ｂと噛み合わされる。
【００３５】
次に、図８を参照する。図８は、本開示の第３の実施形態に係る人工義歯の第１の内部コンポーネントと第２の内部コンポーネントの拡大図である。
【００３６】
本実施形態では、第１のポスト１２０ｃと第１のカバー１１０ｃは、いずれも突起や切り欠きを持たず、第２のポスト２２０ｃと第２のカバー２１０ｃはいずれも突起や切り欠きを持たない。これに替わり、第１のポスト１２０ｃは、溶接、あるいは接着によって第１のカバー１１０ｃ上に直接取り付けられる。
【００３７】
次に、図９を参照する。図９は、第４の実施形態に係る人工義歯の第１の内部コンポーネント第２の内部コンポーネントの拡大図である。
【００３８】
本実施形態では、図８の第１のポスト１２０ｃと異なり、第１のポスト１２０ｄはさらに環状のフランジ１２１ｄを有する。環状のフランジ１２１ｄは、第１のポスト１２０ｄからその径方向に突き出ており、第１のポスト１２０ｄの第１のカバー１１０ｄに近い側に位置する。環状のフランジ１２１ｄは、溶接、あるいは接着によって第１のカバー１１０ｄの第１のトッププレート１１１ｄ上に取り付けられ、これにより、第１のポスト１２０ｄが第１のカバー１１０ｄに固定される。第２のポスト２２０ｄはさらに環状のフランジ２２１ｄを有する。環状のフランジ２２１ｄは、第２のポスト２２０ｄからその径方向に突き出ており、第２のポスト２２０ｄの第２のカバー２１０ｄに近い側に位置する。環状のフランジ２２１ｄは、溶接、あるいは接着によって第２のカバー２１０ｄの第２のトッププレート２１１ｄに取り付けられ、これにより、第２のポスト２２０ｄが第２のカバー２１０ｄに固定される。
【００３９】
また、環状のフランジ１２１ｄは、第１のポスト１２０ｄと第１のカバー１１０ｄ間の接触面積を増大させることができ、このため、第１のポスト１２０ｄと第１のカバー１１０ｄ間の固定強度を増大させることができる。同様に、環状のフランジ２２１ｄも第２のポスト２２０ｄと第２のカバー２１０ｄ間の固定強度を増大させる。
【００４０】
次に、図１０を参照する。図１０は、本開示の第５の実施形態に係る人工義歯の第１の内部コンポーネントと第２の内部コンポーネントの拡大図である。
【００４１】
本実施形態では、第１の内部コンポーネント１００ｅの第１のポスト１２０ｅと第１のカバー１１０ｅは一体となって構成されており、第２の内部コンポーネント２００ｅの第２のポスト２２０ｅと第２のカバー２１０ｅは一体となって構成される。
【００４２】
次に、図１１と図１２を参照する。図１１は、本開示の第６の実施形態に係る人工義歯の第１の内部コンポーネントと第２の内部コンポーネントの拡大図である。図１２は、図１１の第１の内部コンポーネントと第２の内部コンポーネントの断面図である。
【００４３】
本実施形態では、第１の内部コンポーネント１００ｆの第１のポスト１２０ｆは開孔１２２ｆ、環状の内表面１２２１ｆ、および第１の位置合わせ部１２２２ｆを備える。環状の内表面１２２１ｆは開孔１２２ｆを形成する。第１の位置合わせ部１２２２ｆは、例えば環状の溝である。第１の位置合わせ部１２２２ｆは、環状の内表面１２２１ｆ上に位置する。第２の内部コンポーネント２００ｆの第２のポスト２２０ｆはさらに、外表面２２２ｆと第２の位置合わせ部２２４１ｆを備える。第２の位置合わせ部２２４１ｆは、例えばリングである。第２の位置合わせ部２２４１ｆは、取り外しできるように外表面２２２ｆ上に位置する第２のポストの溝にはめ込まれるが、本開示はこれに限定されない。幾つかの他の実施形態では、第２の位置合わせ部は第２のポストの外表面に直接はめ込まれ、第２のポストからその径方向に突き出てもよい。さらに幾つかの他の実施形態では、第２の位置合わせ部と第２のポストは一体となって構成されてもよい。このような場合、第２の位置合わせ部は、第２のポストからその径方向に突き出た環状のリムである。第１の位置合わせ部１２２２ｆと第２の位置合わせ部２２４１ｆは互いに噛み合わされ、これにより、第２の内部コンポーネント２００ｆの位置が第１の内部コンポーネント１００ｆに対して定められる。
【００４４】
図１１に示すように、第１の位置合わせ部１２２２ｆと第２の位置合わせ部２２４１ｆはともにリング形状であるが、本開示はこれに限定されない。幾つかの他の実施形態では、第１の位置合わせ部と第２の位置合わせ部はともにリング形状でなくてもよい。例えば、第１の位置合わせ部と第２の位置合わせ部の一方はブロックであり、他方はこのブロックに対応する形状を有するスロットでもよい。このような場合、第１の位置合わせ部と第２の位置合わせ部の数はともに複数でもよい。
【００４５】
上述した人工義歯によると、人工義歯はキャリア内に埋め込まれる第１の内部コンポーネントに可動的に挿入された第２の内部コンポーネントを備える。したがって、クラウンにかかる外力は、クラウンよりも歯槽骨に近い、第１と第２の内部コンポーネントとの接触点に同等にかかる。このため、歯槽骨にかかるトルクが低減し、これにより、歯槽骨が破壊されるリスクを軽減することができる。
【００４６】
さらに、第２の位置合わせ部が第１の位置合わせ部内に位置するとき、第２の位置合わせ部に占有されず、かつ、第２の内部コンポーネントがさらに第１の内部コンポーネントの方向に動けるようにするための部分が依然として存在する。したがって、第１のポストの軸方向に沿ってクラウンに力がかかったとき、第２の内部コンポーネントは短い距離で移動することができ、三つの緩衝部が緩衝コンポーネントに押し当てられ、この力を緩衝コンポーネントによって吸収することができる。
【００４７】
緩衝部が移動する際、緩衝部は環状の内表面と接し、緩衝孔が小さくなるように変形される。このこともまた、人工義歯に対して第１のポストの径方向にかかる力を吸収することに役立つ。このように、人工義歯は第１のポストの軸方向と径方向にかかる両方の力に対して抵抗することができ、これにより、人工義歯によって歯槽骨が破壊されることを防ぐことができる。
【００４８】
本開示に対して種々の修正や変更が可能であることは当業者にとって明らかである。本記載と例は、単に例示的な実施形態として考慮されるものとして意図されており、本開示の範囲は以下の請求項とそれに等価なものによって表される。
【図１】
0003219784.tif 000003
【図２】
0003219784.tif 000004
【図３】
0003219784.tif 000005
【図４】
0003219784.tif 000006
【図５】
0003219784.tif 000007
【図６】
0003219784.tif 000008
【図７】
0003219784.tif 000009
【図８】
0003219784.tif 000010
【図９】
0003219784.tif 000011
【図１０】
0003219784.tif 000012
【図１１】
0003219784.tif 000013
【図１２】
0003219784.tif 000014